(57)【特許請求の範囲】
【請求項１】
端末装置と、ネットワークを介して前記端末装置に広告情報を配信する広告配信装置とを含む広告配信システムであって、
前記端末装置は、
日時情報と、ユーザの操作に基づいて指定された検索キーワードとを前記広告配信装置に送信する日時情報送信手段を備え、
前記広告配信装置は、
前記日時情報と、前記日時情報に関連する広告情報とを対応付けて記憶する広告情報記憶手段と、
コンテンツ情報と、前記コンテンツ情報に関連する日時情報とを記憶するコンテンツ情報記憶手段と、
前記端末装置から送信される前記検索キーワード及び前記日時情報にマッチする前記広告情報を前記広告情報記憶手段から抽出し、前記検索キーワード及び前記日時情報にマッチする前記コンテンツ情報を前記コンテンツ情報記憶手段から抽出する情報抽出手段と、
前記情報抽出手段により抽出された前記コンテンツ情報と、前記広告情報とを前記端末装置に送信する情報送信手段と、を備えることを特徴とする広告配信システム。
【請求項２】
前記情報抽出手段は、
前記端末装置から送信される前記日時情報を受信する毎に前記日時情報に対応する前記広告情報を前記広告情報記憶手段から抽出し、
前記情報送信手段は、
前記日時情報を受信する毎に抽出された抽出結果を更新情報として前記端末装置に送信することを特徴とする請求項１記載の広告配信システム。
【請求項３】
前記広告配信装置は、
前記日時情報と、前記コンテンツ情報に関連する関連情報とを対応付けて記憶する関連情報記憶手段を備え、
前記情報抽出手段は、
前記関連情報記憶手段を参照して前記日時情報に関連付けられている前記関連情報を更に抽出し、
前記情報送信手段は、
前記抽出された前記関連情報を前記端末装置に送信することを特徴とする請求項１記載の広告配信システム。
【請求項４】
前記端末装置は、
ユーザの操作に基づいて時間軸上の時間を指定する時間指定手段を更に備え、
前記日時情報送信手段は、
前記時間指定手段により指定される時間を示す情報を前記日時情報として、前記広告配信装置に送信することを特徴とする請求項１乃至３いずれか記載の広告配信システム。
【請求項５】
前記端末装置は、前記情報送信手段により送信された前記広告情報を受信し、前記広告情報を表示する情報表示手段を備えることを特徴とする請求項１乃至４いずれか記載の広告配信システム。
【請求項６】
前記情報表示手段は、受信したデータを時系列に表示する時系列表示手段を備えることを特徴とする請求項５記載の広告配信システム。
【請求項７】
請求項１乃至６のいずれか一項に記載の広告配信システムで用いられることを特徴とする広告配信装置。
【請求項８】
請求項１乃至６のいずれか一項に記載の広告配信システムで用いられることを特徴とする端末装置。
【請求項９】
時間条件の変更を可能とするタイムバーを表示することを特徴とする請求項８記載の端末装置。
【請求項１０】
コンピュータが、ネットワークを介して端末装置に広告情報を配信する広告配信方法であって、
コンピュータが、日時情報と、前記日時情報に関連する広告情報とを対応付けて広告情報記憶手段に記憶するステップと、
コンピュータが、コンテンツ情報と、前記コンテンツ情報に関連する日時情報とを対応付けてコンテンツ情報記憶手段に記憶するステップと、
コンピュータが、前記端末装置から送信されるユーザの操作に基づいて指定された検索キーワード及び前記日時情報にマッチする前記広告情報を前記広告情報記憶手段から抽出するステップと、
コンピュータが、前記端末装置から送信される前記検索キーワード及び前記日時情報にマッチする前記コンテンツ情報を前記コンテンツ情報記憶手段から抽出するステップと、
コンピュータが、前記抽出するステップにより抽出された前記コンテンツ情報と、前記広告情報とを前記端末装置に送信するステップと、
を備えることを特徴とする広告配信方法。
【請求項１１】
請求項１０に記載の広告配信方法をコンピュータに実行させることを特徴とするプログラム。
【発明の詳細な説明】
【技術分野】
【０００１】
本発明は、インターネット上のコンテンツを時間軸上で整理し、コンテンツにマッチする広告をユーザの端末に提供する広告配信システム、広告配信装置、端末装置、広告配信方法及びプログラムに関する。
【背景技術】
【０００２】
近年、インターネット上において、新聞や雑誌、ブログ、スポーツの結果、動画、映画など、さまざまなニュースソースの情報を時系列に一覧表示できるサービス、所謂「タイムライン」が提供されている（例えば、非特許文献１）。このサービスによれば、ユーザはニューストピックに基づく結果を時系列で俯瞰して見ることができる。
【先行技術文献】
【非特許文献】
【０００３】
【非特許文献１】グーグル株式会社、「Google  News  Timeline」、[online]、［２０１０年３月３０日検索］、インターネット〈URL:  http://newstimeline.googlelabs.com/>
【発明の概要】
【発明が解決しようとする課題】
【０００４】
しかしながら、非特許文献１に記載の技術は、時系列にニュース内容を把握できるものの、例えば、時代をキーにしてニュース情報（コンテンツ）に関連する情報や広告を併せて表示させるものではない。したがって、時系列の情報の価値を十分に生かすことができないという課題があった。
【０００５】
そこで、本発明はこのような状況に鑑みてなされたものであり、時代の変遷に興味があるユーザに対して、リメーク商品の情報や広告情報を提供することのできる広告配信システム、広告配信装置、端末装置、広告配信方法及びプログラムを提供することを目的とする。
【課題を解決するための手段】
【０００６】
上記の課題を解決するため、本発明にあっては、端末装置と、ネットワークを介して前記端末装置に広告情報を配信する広告配信装置とを含む広告配信システムであって、前記端末装置は、日時情報を前記広告配信装置に送信する日時情報送信手段を備え、前記広告配信装置は、前記日時情報と、前記日時情報に関連する広告情報とを対応付けて記憶する広告情報記憶手段と、前記端末装置から送信される前記日時情報に対応する前記広告情報を前記広告情報記憶手段から抽出する情報抽出手段と、前記情報抽出手段により抽出された前記広告情報を前記端末装置に送信する情報送信手段と、を備える広告配信システムであることを要旨とする。
【０００７】
このような広告配信システムによれば、端末装置が、日時情報(例えば、時代情報)を広告配信装置に送信し、広告配信装置が、時代情報に対応する広告情報を抽出し、広告情報を端末装置に送信する。このため、広告配信システムは、時代情報に対応する広告情報をユーザに提供することができる。従って、時代の変遷に興味があるユーザに対して、対応する広告情報を提供することができる。
【０００８】
本発明の第２の特徴は、本発明の第１の特徴に係り、前記情報抽出手段は、前記端末装置から送信される前記日時情報を受信する毎に前記日時情報に対応する前記広告情報を前記広告情報記憶手段から抽出し、前記情報送信手段は、前記日時情報を受信する毎に抽出された抽出結果を更新情報として前記端末装置に送信することを要旨とする。
【０００９】
本発明の第３の特徴は、本発明の第１及び第２の特徴に係り、前記広告配信装置は、コンテンツ情報と、前記コンテンツ情報に関連する日時情報とを記憶するコンテンツ情報記憶手段を更に備え、前記日時情報送信手段は、ユーザの操作に基づいて指定された検索キーワードを更に前記広告配信装置に送信し、前記情報抽出手段は、前記検索キーワード及び前記日時情報にマッチする前記コンテンツ情報を前記コンテンツ情報記憶手段から抽出し、前記検索キーワード及び前記日時情報にマッチする前記広告情報を前記広告情報記憶手段から抽出し、前記情報送信手段は、前記情報抽出手段により抽出された前記コンテンツ情報と、前記広告情報とを前記端末装置に送信することを要旨とする。
【００１０】
本発明の第４の特徴は、本発明の第３の特徴に係り、前記広告配信装置は、前記日時情報と、前記コンテンツ情報に関連する関連情報とを対応付けて記憶する関連情報記憶手段を備え、前記情報抽出手段は、前記関連情報記憶手段を参照して前記日時情報に関連付けられている前記関連情報を更に抽出し、前記情報送信手段は、前記抽出された前記関連情報を前記端末装置に送信することを要旨とする。
【００１１】
本発明の第５の特徴は、本発明の第１乃至４の特徴に係り、前記端末装置は、ユーザの操作に基づいて時間軸上の時間を指定する時間指定手段を更に備え、前記日時情報送信手段は、前記時間指定手段により指定される時間を示す情報を前記日時情報として、前記広告配信装置に送信することを要旨とする。
【００１２】
本発明の第６の特徴は、本発明の第１乃至５の特徴に係り、前記端末装置は、前記情報送信手段により送信された前記広告情報を受信し、前記広告情報を表示する情報表示手段を備えることを要旨とする。
【００１３】
本発明の第７の特徴は、本発明の第６の特徴に係り、前記情報表示手段は、受信したデータを時系列に表示する時系列表示手段を備えることを要旨とする。
【００１４】
本発明の第８の特徴は、本発明の第１乃至７に記載の広告配信システムで用いられる広告配信装置であることを要旨とする。
【００１５】
本発明の第９の特徴は、本発明の第１乃至７に記載の広告配信システムで用いられる端末装置であることを要旨とする。
【００１６】
本発明の第１０の特徴は、本発明の第９の特徴に係り、時間条件の変更を可能とするタイムバーを表示することを要旨とする。
【００１７】
本発明の第１１の特徴は、コンピュータが、ネットワークを介して端末装置に広告情報を配信する広告配信方法であって、コンピュータが、日時情報と、前記日時情報に関連する広告情報とを対応付けて記憶するステップと、コンピュータが、前記端末装置から送信される前記日時情報に対応する前記広告情報を前記広告情報記憶手段から抽出するステップと、コンピュータが、前記抽出するステップにより抽出された前記広告情報を前記端末装置に送信するステップと、を備える広告配信方法であることを要旨とする。
【００１８】
本発明の第１２の特徴は、本発明の第１１の特徴に係り、広告配信方法をコンピュータに実行させるプログラムであることを要旨とする。
【発明の効果】
【００１９】
以上のように、本発明によれば、時代毎のコンテンツを時間軸で切り替えて表示し、時代にマッチングにした上記コンテンツの関連情報と広告情報を合わせて表示するようにしたので、時代変遷に興味のあるユーザに対し時代毎のコンテンツと、その時代をなつかしむ回顧主義的な商品広告の提供が可能となる。
【図面の簡単な説明】
【００２０】
【図１】本発明の実施形態にかかる広告配信システムに含まれるユーザ端末及び広告配信システムの機能ブロック構成図である。
【図２】本発明の実施形態にかかるユーザ端末の表示部の一例を示す図である。
【図３】本発明の実施形態にかかるメイン情報ＤＢのデータ格納例を示す図である。
【図４】本発明の実施形態にかかる関連情報ＤＢのデータ格納例を示す図である。
【図５】本発明の実施形態にかかる広告情報ＤＢのデータ格納例を示す図である。
【図６】本発明の実施形態にかかる広告配信システムの広告配信方法を説明するためのシーケンス図である。
【図７】本発明の実施形態にかかるユーザ端末のディスプレイ上に統合データを表示した場合の図である。
【発明を実施するための形態】
【００２１】
次に、図面を参照して、本発明の実施形態を説明する。なお、以下の図面の記載において、同一または類似の部分には、同一または類似の符号を付している。また、図面は模式的なものであり、各寸法の比率などは現実のものとは異なる。
【００２２】
したがって、具体的な寸法などは以下の説明を参酌して判断すればよく、図面相互間においても互いの寸法の関係や比率が異なる部分が含まれている。
【００２３】
以下の実施形態においては、（１）広告配信システム１の全体構成、（２）ユーザ端末１０の詳細構成、（３）広告配信サーバ３０の詳細構成、（４）広告配信システム１の動作、（５）作用・効果、（６）その他の実施形態について説明する。
【００２４】
（１）広告配信システム１の全体構成
図１は、本実施形態にかかる広告配信システム１に含まれるユーザ端末１０及び広告配信サーバ３０の機能ブロック構成図である。
【００２５】
図１に示すように、広告配信システム１は、ユーザ端末１０と、ネットワーク（インターネット）２０を介してユーザ端末１０に広告情報を配信する広告配信サーバ３０とを含む。
【００２６】
広告配信システム１は、ユーザ端末１０からのＷｅｂページ検索要求で指定されたキーワードに基づいて、広告配信サーバ３０が、キーワードにマッチするコンテンツ（以下、基本コンテンツという）と、そのコンテンツに関連する関連情報（以下、関連コンテンツという）と、基本コンテンツにマッチする広告情報と、これらコンテンツに対する時代情報を付加情報として付加してユーザ端末１０に送信する。
【００２７】
（２）ユーザ端末１０の詳細構成
図２は、本実施形態に係るユーザ端末１０の表示部１４の一例を示す図である。ユーザ端末１０は、例えば、パーソナルコンピュータ（ＰＣ）やノートブック型パーソナルコンピュータ、ウェブサイトの閲覧や電子メール・チャットなどの基本的なインターネット上のサービスを利用することを主な用途としたネットブック、ブラウザを備えた携帯電話、ＰＤＡ、スマートフォン、電子書籍端末等のタブレットＰＣのいずれであってもよい。本実施形態では、ユーザ端末１０が、ＰＣである場合を想定し、以下説明する。
【００２８】
また、ユーザ端末１０に備えられるブラウザは、インターネットの標準プロトコルであるＨＴＴＰ（Hyper  Text  Transfer  Protocol）等に従い、ＨＴＭＬ（Hyper  Text  Markup  Language）等の言語で記述されたページデータの要求、取得及び表示、フォームデータの送信等を行う機能を有している。
【００２９】
図１に示すように、ユーザ端末１０は、時間情報検出部１１と、データ送受信部１２と、キーワード入力部１３と、表示部１４と、から構成される。
【００３０】
時間情報検出部１１は、タイムバー１６（図２参照）により指定される時間を示す情報を時代情報として、データ送受信部１２に送る。また、ユーザの操作に基づいて、タイムバー１６が移動された場合、時間情報検出部１１は、タイムバー１６の移動量を算出し、算出した移動量から年代を特定し、特定した年代を時代情報としてデータ送受信部１２に送る。なお、時代情報とは、特定の年月日等の日時情報であり、特定の日時を示す情報であってもよいし、１９９０年代などのように所定の年代を示すような情報であってもよい。
【００３１】
データ送受信部１２は、日時情報送信手段を構成し、キーワード入力部１３により入力された検索キーワードと、時間情報検出部１１から得た時代情報とを広告配信サーバ３０に送信する。また、データ送受信部１２は、広告配信サーバ３０側から送信される基本コンテンツ、関連コンテンツ、広告情報を受信し、表示部１４に出力する。
【００３２】
キーワード入力部１３は、検索に関する情報をデータ送受信部１２に送る。具体的には、キーワード入力部１３には、ユーザにより基本コンテンツ検索のための検索キーワードが指定される。検索キーワードは、ユーザの操作により直接入力されてもよいし、ユーザ端末１０から提示された文字列をユーザが選択することで指定されてもよい。そして、ユーザの操作に基づいて、キーワード検索を実行する操作がされた際に、キーワード入力部１３は、検索キーワードをデータ送受信部１２に送る。
【００３３】
表示部１４は、データ送受信部１２から基本コンテンツ、関連コンテンツ、広告情報を受取表示する。例えば、表示部１４は、ディスプレイであり、検索要求時点での最新の基本コンテンツ、関連コンテンツ、及び基本コンテンツに関連する広告情報が表示される。
【００３４】
図２に示すように、ユーザ端末１０は、時間軸をスクロールできるタイムバー１６をＵＩとして備える。タイムバー１６は、ユーザの操作に基づいて、時間軸上の年、月、日を指定（現在から過去）するためのＵＩである。ユーザは、タイムバー１６をスクロール操作することにより、上記コンテンツに係る過去のコンテンツ及びその過去のコンテンツと関連のある商品の情報を示した広告情報がユーザ端末に提示される。
【００３５】
具体的には、ユーザは、タイムバー１６を操作することにより、年、月、日等を変更する。タイムバー１６は、時間軸に対応する位置にスライダを備え、ユーザのマウス等のポインティングデバイス等の操作に基づいて年、月、日を変更して表示することができる。例えば、タイムバー１６は、ユーザの操作に基づいて、年代を現代から過去（ｘｘ年）に変えることで、時間条件の変更を可能とする。本実施形態では、タイムバー１６が、「年」刻みでタイムスケールを表示する場合を例にとり以下に説明する。すなわち、タイムバー１６は、タイムスケールを年刻みで、２０１０年、２００９年、２００８年と表示する。
【００３６】
（３）広告配信サーバ３０の詳細構成
図１に示すように、広告配信サーバ３０は、ネットワーク２０を介して、ユーザ端末１０に接続される。広告配信サーバ３０は、データ受信部３１と、処理部３２と、統合部３３と、データ送信部３４と、基本コンテンツを格納するメイン情報データベース３５（以下、単にメイン情報ＤＢ３５という）と、基本コンテンツに関係付けられた関連コンテンツを格納する関連情報データベース３６（以下、単に関連情報ＤＢ３６という）と、基本コンテンツにマッチする広告情報を格納する広告情報データベース３７（以下、単に広告情報ＤＢ３７という）と、から構成される。
【００３７】
データ受信部３１は、ユーザ端末１０からの検索キーワードや時代情報を受信して処理部３２に通知する。
【００３８】
処理部３２は、データ受信部３１に通知された時代情報を検索キーとして、メイン情報ＤＢ３５、関連情報ＤＢ３６、広告情報ＤＢ３７から時代情報にマッチした基本コンテンツ、関連コンテンツ、広告情報を抽出して統合部３３に出力する。例えば、時代情報が、１９９０年代を示す場合、処理部３２は、１９９０年代にマッチした基本コンテンツ、関連コンテンツ、広告情報を抽出して統合部３３に出力する。なお、１９９０年代にマッチした基本コンテンツ、関連コンテンツ、広告情報とは、１９９０年代にメイン情報ＤＢ３５、関連情報ＤＢ３６、広告情報ＤＢ３７に保存された基本コンテンツ、関連コンテンツ、広告情報であってもよいし、１９９０年代の情報を示す基本コンテンツ、関連コンテンツ、広告情報であってもよい。すなわち、処理部３２は、情報抽出手段を構成し、ユーザ端末１０から送信される時代情報に対応する広告情報を広告情報ＤＢ３７から抽出する。
【００３９】
また、処理部３２は、ユーザ端末１０から送信される時代情報を受信する毎に時代情報に対応する基本コンテンツ、関連コンテンツ、広告情報をメイン情報ＤＢ３５、関連情報ＤＢ３６、広告情報ＤＢ３７からそれぞれ抽出する。
【００４０】
更に、処理部３２は、データ受信部３１に通知された検索キーワードと、データ受信部３１に通知された時代情報とを検索キーとして、メイン情報ＤＢ３５、関連情報ＤＢ３６、広告情報ＤＢ３７から検索キーワードと、時代情報にマッチした基本コンテンツ、関連コンテンツ、広告情報を抽出して統合部３３に出力する。
【００４１】
統合部３３は、処理部３２から得た基本コンテンツ、関連コンテンツ、広告情報を情報統合し、データ送信部３４に出力する。
【００４２】
データ送信部３４は、情報送信手段を構成し、処理部３２により抽出された基本コンテンツと、広告情報とをユーザ端末１０に送信する。具体的には、データ送信部３４は、統合部３３により統合された統合データを、ネットワーク２０を介してユーザ端末１０に送信する。なお、データ送信部３４は、ユーザ端末１０から送信される時代情報を受信する毎に抽出され、統合部３３により統合された統合データを更新情報として、ユーザ端末１０に送信する。すなわち、データ送信部３４は、時代情報を受信する毎に処理部３２により抽出された抽出結果を含む統合データを更新情報としてユーザ端末１０に送信する。
【００４３】
（３．１）メイン情報ＤＢ３５
図３は、メイン情報ＤＢ３５のデータ格納例を示す図である。メイン情報ＤＢ３５は、コンテンツ情報記憶手段を構成し、コンテンツ情報と、コンテンツ情報に関連する時代情報と、を記憶する。具体的には、メイン情報ＤＢ３５は、「時代情報」フィールドと、「情報カテゴリ」フィールドと、「関連情報」フィールドと、「情報内容」フィールドとを含んで構成される。すなわち、メイン情報ＤＢ３５は、コンテンツ情報として、「情報カテゴリ」フィールドと、「関連情報」フィールドと、「情報内容」フィールドとを含む。
【００４４】
「時代情報」フィールドは、時代情報を識別する。「情報カテゴリ」フィールドは、情報のカテゴリを示す。例えば、「情報カテゴリ」フィールドは、「アニメ」等のカテゴリを格納する。「サブカテゴリ」フィールドは、「情報カテゴリ」に関連する情報を格納する。例えば、「サブカテゴリ」フィールドは、「情報カテゴリ」フィールドが、「アニメ」である場合、その「アニメ」に関連するキャラクタの情報が「サブカテゴリ」フィールドに格納される。「情報内容」フィールドは、詳細な情報を格納する。例えば、「情報内容」フィールドは、上記アニメキャラクタの詳細な情報を格納する。
【００４５】
メイン情報ＤＢ３５に格納されるデータを整理すると次のようになる。メイン情報ＤＢ３５には、現在、すなわち２０１０年におけるアニメというカテゴリに対して、そのアニメのキャラクタである例えば、ロボットＡと、そのロボットＡに係る情報（例：ロボットＡの仕様や性能情報等）が格納される。
【００４６】
（３．２）関連情報ＤＢ３６
図４は、関連情報ＤＢ３６のデータ格納例を示す図である。関連情報ＤＢ３６は、時代情報と、コンテンツ情報に関連する関連情報とを対応付けて記憶する。具体的には、関連情報ＤＢ３６は、時代情報を識別する「時代情報」フィールドと、「情報カテゴリ」フィールドと、「表示形式」フィールドと、「情報内容」フィールドとを含んで構成される。すなわち、関連情報ＤＢ３６は、メイン情報ＤＢ３５における情報カテゴリと同じカテゴリにおける関連情報が格納される。例えば、メイン情報ＤＢ３５における情報カテゴリが「アニメ」とする場合、「表示形式」フィールドには、そのアニメに係る情報として、ランキングの情報が格納される。また、「情報内容」フィールドには、アニメのランキングに係る情報として、アニメグッズの売上げに係る情報が格納される。
【００４７】
（３．３）広告情報ＤＢ３７
図５は、広告情報ＤＢ３７のデータ格納例を示す図である。広告情報ＤＢ３７は、時代情報を識別する「時代情報」フィールドと、「情報カテゴリ」フィールドと、「サブカテゴリ」フィールドと、「広告」フィールドとを含んで構成される。「広告」フィールドには、メイン情報ＤＢ３５の「時代情報」フィールドに格納される時代情報と、「サブカテゴリ」フィールドに格納されるキャラクタの情報と関連する広告情報が格納される。例えば、メイン情報ＤＢ３５の「サブカテゴリ」フィールドにロボットＡが格納されている場合、「広告」フィールドには、ロボットＡに関連する商品内容の広告情報として、イベントの入場券等の販売を告知する広告情報が格納される。すなわち、広告情報ＤＢ３７は、時代情報と、時代情報に関連する広告情報とを対応付けて記憶する。
【００４８】
（４）広告配信システム１の動作
次に、図６、図７を参照しながら、広告配信システム１の動作について説明する。具体的には、ユーザ端末１０より、アニメキャラクタのロボットＡに係る情報の検索要求がなされた場合に、広告配信サーバ３０が、ロボットＡに係る商品情報を広告情報として配信する広告配信処理について説明する。図６は、本発明の実施形態にかかる広告配信システム１の広告配信方法を説明するためのシーケンス図である。図７は、本発明の実施形態にかかるユーザ端末のディスプレイ上に統合データを表示した場合の図である。
【００４９】
ステップＳ１０１において、ユーザ端末１０は、ネットワーク２０を介して広告配信サーバ３０に対してユーザが入力した検索キーワード及び時代情報を送信する。ここで、キーワード入力部１３には、検索キーワードとして、アニメ、ロボットＡが入力されたものとする。また、タイムバー１６を介して、ユーザから現代、すなわち２０１０年が時代情報として指定されているものとして以下説明する。上記検索キーワードは、キーワード入力部１３から、データ送受信部１２に送られ、データ送受信部１２により広告配信サーバ３０に送信される。同様にして、タイムバー１６を介して、ユーザから指定される年代の時代情報は、時間情報検出部１１からデータ送受信部１２に送られ、データ送受信部１２により広告配信サーバ３０に送信される。
【００５０】
ステップＳ２０１において、広告配信サーバ３０のデータ受信部３１は、検索キーワードと時代情報を受信し、その受信した検索キーワードと時代情報を処理部３２に送る。
【００５１】
ステップＳ２０２において、処理部３２は、検索キーワードと時代情報を検索キーにメイン情報ＤＢ３５から基本コンテンツを抽出する。例えば、処理部３２は、時代情報から２０１０年のデータフィールドレコードを参照し、検索キーワードから情報カテゴリ「アニメ」、サブカテゴリ「ロボットＡ」を抽出し、抽出されたカテゴリにおけるサブカテゴリに係る情報を「情報内容」フィールドから取得する。また、処理部３２は、「情報内容」フィールドからロボットＡの商品の性能の情報を取得する。ここでは、時代情報、すなわち２０１０年を示す情報と、その時代におけるロボットＡの商品の性能情報を含んだものを「基本コンテンツＡ」という。
【００５２】
ステップＳ２０３において、処理部３２は、関連情報ＤＢ３６にアクセスし、基本コンテンツＡに関連する関連コンテンツＡを取得する。例えば、処理部３２は、メイン情報ＤＢ３５の時代情報と情報カテゴリに共通する「表示形式」フィールドのデータ、「情報内容」フィールドのデータを上記ロボットＡの商品の性能情報に関連する関連情報として抽出する。本例では、共通情報カテゴリが「アニメ」である場合を例示し、「表示形式」としてアニメに関する商品のランキング、「情報内容」としてアニメに関する商品の売上げのデータが格納されていると想定する。そうすると、例えば、アニメ商品（グッズ）の売上げランキングの情報が上記ロボットＡの商品の性能情報の関連情報として取得される。ここでは、時代情報、すなわち２０１０年を示す情報と、その時代における上記関連情報を含んだものを「関連コンテンツＡ」という。
【００５３】
ステップＳ２０４において、処理部３２は、広告情報ＤＢ３７にアクセスし、基本コンテンツＡにマッチする広告情報Ａを取得する。例えば、処理部３２は、メイン情報ＤＢ３５の時代情報とサブカテゴリをキーにして広告情報ＤＢ３７より広告情報を取得する。本例では、共通キャラクタの情報がロボットＡである場合を例示する。この場合、処理部３２は、ロボットＡに関連付けて格納されている「情報カテゴリ」フィールド、「商品内容」フィールドからそれぞれ販売の情報、イベントの入場券の情報を広告情報として広告情報ＤＢ３７から取得する。本例では、時代情報、すなわち２０１０年を示す情報と、上記広告情報を含んだものを「広告情報Ａ」という。
【００５４】
処理部３２は、取得した基本コンテンツＡ、関連コンテンツＡ、広告情報Ａを統合部３３に出力する。統合部３３は、上記基本コンテンツＡ、関連コンテンツＡ、広告情報Ａを統合し、統合データ４０ａとして、データ送信部３４に出力する。
【００５５】
ステップＳ２０５において、データ送信部３４は、ネットワーク２０を介して、統合データ４０ａをユーザ端末１０に送信する。
【００５６】
ステップＳ１０２において、ユーザ端末１０のデータ送受信部１２は、広告配信サーバ３０から送信された統合データ４０ａを受信し、表示部１４に出力する。表示部１４は、統合データ４０ａを表示する。
【００５７】
具体的には、図７(ａ)に示すように、ユーザ端末１０の表示部１４は、統合データ４０ａを表示する。ユーザ端末１０の画面上部には、タイムバー１６が表示され、２０１０年がポインティングデバイスによって指示されている。そして、基本コンテンツＡ、関連コンテンツＡ、広告情報ＡがＷｅｂページとして表示される。基本コンテンツＡとして、タイムバーで指定された年代、すなわち現代である２０１０年における最新のロボットＡの情報が表示される。また、関連コンテンツＡとして、基本コンテンツＡと同じ年代、例えば、２０１０年春のアニメグッズ売上げランキングの情報が表示される。更に、広告情報Ａとして、基本コンテンツＡと同じ年代、例えば、２０１０年版最新ロボットＡイベント入場券発売中の広告情報が表示される。
【００５８】
ステップＳ１０３において、時間情報検出部１１は、タイムバー１６に対するユーザのスクロール操作により、時代情報の変更を検出する。データ送受信部１２は、変更された時代情報を広告配信サーバ３０に送信する。本例では、タイムバー１６のスクロール操作により、２０１０年→２００９年に時代情報が変更されたものとする。ここで、タイムバー１６のスクロール操作と時間情報検出部１１との連携による時代情報の変更の検出方法について説明する。
【００５９】
ユーザが、スクロールエリアをマウス等のポインティングデバイスで操作（移動）すると、時間情報検出部１１は、スクロールエリアが操作された判別し、先に検出した位置座標（２０１０年を示す位置座標）に基づいてタイムバー１６の移動量を算出する。そして、算出した移動量から年代を特定し、変更された時代情報を新たに生成する。
【００６０】
ステップＳ２０６において、新たに生成された時代情報は、広告配信サーバ３０のデータ受信部３１で受信された後、処理部３２に送られる。処理部３２は、メイン情報ＤＢ３５にアクセスし、時代情報で指定された年代（２００９年）であって基本コンテンツＡにおけるロボットＡの商品の性能の情報と同内容のデータを２００９年のデータフィールドレコードを参照し、「情報内容」フィールドから取得する。例えば、処理部３２は、時代情報、すなわち２００９年を示す情報と、その年代におけるロボットＡの商品の性能情報と同内容である先代モデル（２００９年モデル）のロボットＢ情報を取得する。上記情報を本例では、「基本コンテンツＢ」という。
【００６１】
ステップＳ２０７において、処理部３２は、関連情報ＤＢ３６にアクセスし、基本コンテンツＢと年代が共通で、内容が関連する関連コンテンツＢを取得する。例えば、処理部３２は、メイン情報ＤＢ３５の時代情報２００９年を示すデータフィールドレコードを参照し、「表示形式」フィールドのデータ、「情報内容」フィールドのデータを上記先代モデル（２００９年モデル）のロボットＢの商品の性能情報に関連する関連情報として抽出する。本例では、２０１０年のデータと同様、「表示形式」としてアニメに関する商品のランキング、「情報内容」としてアニメに関する商品の売上げのデータが格納されていると想定する。そうすると、例えば、アニメ商品、アニメグッズとしてＣＤの売上げランキングの情報がロボットＢの商品の性能情報の関連情報として取得される。ここでは、時代情報、すなわち２００９年を示す情報と、その年代における関連情報を含んだものを「関連コンテンツＢ」という。
【００６２】
次いで処理部３２は、広告情報ＤＢ３７にアクセスし、基本コンテンツＢにマッチする広告情報Ｂを取得する。例えば、処理部３２は、メイン情報ＤＢ３５の時代情報とサブカテゴリをキーにして広告情報ＤＢ３７より広告情報を取得する。本例では、共通キャラクタの情報がロボットＢである場合を例示する。この場合、処理部３２は、ロボットＢに関連付けて格納されている「情報カテゴリ」フィールド、「商品内容」フィールドからそれぞれ販売の情報、プラモデルの情報を広告情報として広告情報ＤＢ３７から取得する。本例では、時代情報、すなわち２００９年を示す情報と、広告情報を含んだものを「広告情報Ｂ」という。
【００６３】
処理部３２は、取得した基本コンテンツＢ、関連コンテンツＢ、広告情報Ｂを統合部３３に出力する。統合部３３は、基本コンテンツＢ、関連コンテンツＢ、広告情報Ｂを統合し、統合データ４０ｂとして、データ送信部３４に出力する。
【００６４】
ステップＳ２０８において、データ送信部３４は、ネットワーク２０を介して、統合データ４０ｂをユーザ端末１０に送信する。
【００６５】
ステップＳ１０４において、ユーザ端末１０のデータ送受信部１２は、統合データ４０ｂを受信し、表示部１４に出力する。表示部１４は、統合データ４０ｂを表示する。
【００６６】
具体的には、図７（ｂ）に示すように、ユーザ端末１０の表示部１４は、統合データ４０ａから統合データ４０ｂに切り替えて表示する。ユーザ端末１０の画面上部には、タイムバー１６が表示され、２００９年がポインティングデバイスによって指示されている。そして、Ｗｅｂページとして基本コンテンツＢ、関連コンテンツＢ、広告情報Ｂが表示される。基本コンテンツＢとして、タイムバーで指定された年代、すなわち過去である２００９年における先代モデルのロボットＢの情報が表示される。また、関連コンテンツＢとして、基本コンテンツＢと同じ年代、例えば、２００９におけるアニメ、テーマソングＣＤ売上げランキングの情報が表示される。更に、広告情報Ｂとして、基本コンテンツＢと同じ年代、例えば、「２００９年版ロボットＢプラモデル発売中」の広告情報が表示される。
【００６７】
図７で示したユーザ端末１０の画面表示例は、図７の（ａ）から（ｂ）に画面表示が年代に応じて遷移する場合を例示した。本発明は、本態様に限定されず、表示部１４は、受信したデータを時系列に表示する時系列表示手段を備えてもよい。例えば、表示部１４は、２０１０年、２００９年におけるコンテンツを時系列に一画面にまとめて表示するような態様であってもよい。その場合、ユーザは、時代変遷の全体を俯瞰してみることができる。
【００６８】
（５）作用・効果
上述したように、本実施形態に係る広告配信システム１によれば、ユーザ端末１０が、時代情報を広告配信サーバ３０に送信し、広告配信サーバ３０が、時代情報に対応する広告情報を抽出し、広告情報をユーザ端末１０に送信する。このため、広告配信システム１は、時代情報に対応する広告情報をユーザに提供することができる。従って、時代の変遷に興味があるユーザに対して、対応する広告情報を提供することができる。
【００６９】
実施形態では、広告配信サーバ３０は、ユーザ端末１０から送信される時代情報を受信する毎に時代情報に対応する広告情報を抽出し、抽出結果を更新情報としてユーザ端末１０に送信する。このため、広告配信システム１は、ユーザが、時代情報を切り替える毎に対応する広告情報をユーザに提供することができる。従って、時代の変遷に興味があるユーザに対して、その時代をなつかしむ回顧主義的な商品広告の提供が可能となる。
【００７０】
実施形態では、ユーザ端末１０は、ユーザの操作に基づいて指定された検索キーワードを更に広告配信サーバ３０に送信し、広告配信サーバ３０は、検索キーワード及び時代情報にマッチするコンテンツ情報、広告情報をユーザ端末１０に送信する。このため、広告配信システム１は、時代情報に対応するリメーク商品の情報や、対応する広告情報をユーザに提供することができる。
【００７１】
実施形態では、広告配信サーバ３０は、時代情報に関連付けられている関連情報を更に抽出し、ユーザ端末１０に送信する。すなわち、時代情報をキーにしてメイン情報ＤＢ３５から基本コンテンツを取得し、取得した基本コンテンツと同じ年代であって関連するコンテンツが関連コンテンツとして取得され、更に基本コンテンツにマッチする広告情報がユーザ端末１０に提示される。従って、時代にマッチングにしたコンテンツの関連情報と広告情報を合わせて表示するようにしたので、時代変遷に興味のあるユーザに対し時代毎のコンテンツと、その時代をなつかしむ回顧主義的な商品広告の提供が可能となる。
【００７２】
実施形態では、ユーザ端末１０は、ユーザの操作に基づいて時間軸上の時間を指定するタイムバー１６を更に備え、タイムバー１６により指定される時間を示す情報を時代情報として、広告配信サーバ３０に送信する。このため、タイムバー１６の操作により年代が変更されると、変更後の年代における基本コンテンツ、関連コンテンツ、広告情報がユーザ端末１０に提示される。すなわち、ユーザは、タイムバー１６のタイムラインを移動（ドラッグ＆ドロップ）させることで、興味のあるコンテンツの変遷を時間軸上で見ることができ、かつ現在でありながら基本コンテンツに関連する過去の商品（例）の販促広告に触れることができる。
【００７３】
例えば、タイムバー１６のスクロール操作により、時代が２０１０年から１９７９年に変更された場合、１９７９年のコンテンツ表示に加え、現在発売中の「先代モデルロボットＡ」商品販売情報（例：オークション出品情報）が広告情報としてユーザ端末１０に表示される。これにより、ユーザは、むかしを懐かしみながら、最終的に現在売っている商品を購入できる。また、広告主は、時代の変遷に興味があるユーザに対して効果的な広告サービスを提供できるようになる。
【００７４】
（６）その他の実施形態
本実施形態における広告情報は、テキスト広告、バナー等のイメージ広告、動画広告のいずれであってもよい。本実施形態では、ユーザ端末をパソコンと想定し説明進めてきたが、ユーザ端末１０がモバイル等の携帯端末であってもよい。その場合、携帯端末の表示画面サイズに適合したテキスト広告やバナー広告等が表示される。
【００７５】
また、ユーザ端末１０の表示画面はタッチスクリーンであってもよく、その場合、タッチスクリーンは、文字や画像等からなる画面を表示する表示機能、及び、指や専用のペンが画面に触れることで、その触れた位置に基づいた情報が入力される入力機能の双方の機能を備えたディスプレイである。タッチスクリーンは、例えば、ディスプレイの上面に表面の接触を検知するための素子が複数配置され、さらにその上に透明なスクリーンが積層されることにより形成されている。また、タッチスクリーン上での接触を検知する方法は、圧力の変化を感知する感圧式であっても、静電気による電気信号を感知する静電式、その他の方法であっても良い。
【００７６】
本実施形態におけるタイムバー１６は、上記したタッチスクリーン上に備えられてもよい。その場合、タイムバー１６のスクロール操作は指等でなぞることによりなされる。時間情報検出部は、指等の接触を検知し、入力の始点（指でタイムバー１６のタイムスケールに触れた位置）と終点（タイムバー１６のタイムスケール上をなぞり、指を移動した後に指を離した位置）までの移動量を算出する。そして、上記同様、算出した移動量から年代を特定し、時代情報として生成する。
【００７７】
上述したように、ユーザ端末１０が携帯端末やスマートフォン等の端末で、タッチスクリーン形式であれば、ユーザは指の操作で、興味あるコンテンツの時代変遷を時間軸上で見ることができ、更に過去商品の販売情報等の広告情報を移動しながら見ることができる。
【００７８】
また、本実施形態では、タイムバー１６が横に細長い場合を例示したが、タイムライン機能を備えているものであれば、本態様に限定されるものではない。例えば、縦状であってもよい。
【００７９】
上述した実施形態では、ユーザ端末１０は、時間軸をスクロールできるタイムバー１６をＵＩとして備える。本発明は、これに限定されず、ユーザ端末１０は、日時情報を指定する手段を備えていればよい。例えば、ユーザ端末１０は、時間情報をテキストとして入力することができるテキストボックスをＵＩとして備えていてもよい。
【００８０】
上述した実施形態では、ユーザ端末１０及び広告配信サーバ３０が備える各ブロックについて記載しているが、本発明は、これに限られず、例えば、上記の各ブロックの機能を実行するプログラム、広告配信方法としてもよく、また、このプログラムを配信するサーバであってもよい。
【００８１】
以上、本発明の好適な実施の形態により本発明を説明した。ここでは特定の具体例を示して本発明を説明したが、特許請求の範囲に定義された本発明の広範な趣旨及び範囲から逸脱することなく、これら具体例にさまざまな修正及び変更を加えることができることは明らかである。すなわち、具体例の詳細及び添付の図面により本発明が限定されるものと解釈してはならない。
【符号の説明】
【００８２】
１      広告配信システム
１０    ユーザ端末
１１    時間情報検出部
１２    データ送受信部
１３    キーワード入力部
１４    表示部
１６    タイムバー
２０    ネットワーク（インターネット）
３０    広告配信サーバ
３１    データ受信部
３２    処理部
３３    統合部
３４    データ送信部
３５    メイン情報ＤＢ
３６    関連情報ＤＢ
３７    広告情報ＤＢ
４０ａ、４０ｂ    統合データ
【図１】
0005122618.tif 000002
【図２】
0005122618.tif 000003
【図３】
0005122618.tif 000004
【図４】
0005122618.tif 000005
【図５】
0005122618.tif 000006
【図６】
0005122618.tif 000007
【図７】
0005122618.tif 000008